(57)【要約】【課題】ワイヤレスリモコンの不意の誤操作や幼児の遊び触りによる機器の不要動作を防止する。【解決手段】複数の操作スイッチ１と、ロックスイッチ２と、ロック状態を判定するロック状態判定部３と、操作スイッチ入力とロック状態判定結果により機器へコード送信を行う発信部７と、前記発信部を制御する発信ドライバ５と、リモコン設定表示を行う表示部と、前記表示部を制御する表示ドライバ６と、前記ドライバの駆動処理を行う処理部４を備え、ロックオン状態で操作スイッチを操作した場合、表示部を制御するドライバは動作不可能とし表示部の変更を禁止し、発信部を制御するドライバを作動させて機器に対して送信部からロック時特定のコードを送信し、このコードを受信した機器は特定の受信音を鳴らし他の動作は禁止して、リモコン操作ロック状態を認識可能にするとともにリモコンの不意の誤操作や幼児の遊び触りによる機器の不要動作を防止する。【選択図】図１
2007074185.tif 000002
【特許請求の範囲】
【請求項１】
機器の運転状態を遠隔操作するためのワイヤレスリモコンに複数の操作スイッチと、リモコン操作ロック状態（以後ロック状態と記載）をオン／オフするためのロックスイッチと、ロック状態を判定するロック状態判定部と、操作スイッチ入力とロック状態判定結果により機器へコード送信を行う発信部と、前記発信部を制御する発信ドライバと、リモコン設定表示を行う表示部と、前記表示部を制御する表示ドライバと、前記２つのドライバの駆動処理を行う処理部を備え、ロックオン状態で操作スイッチを操作した場合、前記表示ドライバは動作不可能とし表示部の変更を禁止し、前記発信ドライバを作動させて機器に対して送信部からロック時特定のコードを送信することにより、このコードを受信した機器は特定の受信音を鳴らし他の動作は禁止することを特徴としたワイヤレスリモコンの誤操作による機器の不要動作防止方法。
【発明の詳細な説明】
【技術分野】
【０００１】
本発明は、ワイヤレスリモコンにより運転状態を遠隔操作する機器（例えば空気調和機）に関するものである。
【背景技術】
【０００２】
現在の電子製品は、ワイヤレスリモコン（以下リモコンと記載する）で遠隔操作可能になっているものが多い。また多機能であるためリモコンのスイッチも多数あり、リモコンに機器の設定状況を表示できる表示部（例えば液晶画面）を持つものも多い。
【０００３】
ただ、このように多数のスイッチを持ち表示画面があるリモコンは、不意の操作や幼児の遊び触りなどで誤操作される可能性が高く、リモコンが誤操作されるたびに機器が不要動作してしまうため、機器の不要動作を防止する為の方法が考案されている（例えば、特許文献1参照）。
【０００４】
図５は特許文献１に開示された機器の不要動作を防止するための従来のリモコン処理を示すフローチャートである
図５に示すように、リモコンの操作をロックするためリモコンに設けたロックスイッチを操作するとリモコン操作ロックオン状態となり、その時点でリモコン設定内容をメモリ部に記憶しておき、発信部からのコード送信を中止し、表示部にリモコン操作ロック中の表示を行う。この状態でリモコンの操作スイッチを操作された場合には発信部からのコード送信を中止したままスイッチ操作された内容に従い表示部の表示を変更している。また、リモコン操作ロックの解除は再度リモコンロックＳＷを操作することで可能にし、この時メモリ部に記憶しておいた設定内容を表示部に表示し、操作スイッチが操作されれば操作された内容に従い表示部の表示変更と発信部からのコード送信を行っている。
【特許文献１】特開平６−１１３３７４号公報
【発明の開示】
【発明が解決しようとする課題】
【０００５】
しかしながら、上記従来の技術ではリモコン操作ロックスイッチが操作されてロックオン状態になった時点のリモコン設定内容を記憶しておくメモリが必要であり、またリモコン操作ロック中であることを表示する表示部のスペースが必要となりコストアップとなる。
【０００６】
本発明は上記課題を解決するもので、設定内容を記憶するメモリや専用の表示スペースが不要で、コストアップのないワイヤレスリモコンの誤操作による機器の不要動作防止方法を提供することを目的とする。
【課題を解決するための手段】
【０００７】
機器の運転状態を遠隔操作するためのワイヤレスリモコンに複数の操作スイッチと、リモコン操作ロック状態をオン／オフするためのロックスイッチと、ロック状態を判定するロック状態判定部と、操作スイッチ入力とロック状態判定結果により機器へコード送信を行う発信部と、前記発信部を制御する発信ドライバと、リモコン設定表示を行う表示部と、前記表示部を制御する表示ドライバと、前記２つのドライバの駆動処理を行う処理部を備え、ロックオン状態で操作スイッチを操作した場合、表示ドライバは動作不可能とし表示部の変更を禁止し、発信ドライバを作動させて機器に対して送信部からロック時特定のコードを送信することにより、このコードを受信した機器は特定の受信音を鳴らし他の動作は禁止する。
【発明の効果】
【０００８】
本発明によれば、ロックスイッチが操作されてロックオン状態になると、操作スイッチを操作してもリモコン設定表示の変更を不可能にするので、ロックオン時のリモコン設定を記憶しておく必要がない。またロックオン状態で操作スイッチを操作した場合、ロック時特定のコードを機器に送信し、これを受信した機器は特定の受信音を鳴らすことによりリモコンの表示部にロック中であることを表示しなくてもリモコンがロック状態であることを認識することができる。またこのコードを受信した機器は特定の受信音を鳴らす以外の動作は禁止するので、リモコンの不意の誤操作や幼児の遊び触りによる機器の不要動作を防止することができる。
【発明を実施するための最良の形態】
【０００９】
第一の発明は、機器の運転状態を遠隔操作するためのワイヤレスリモコンに複数の操作スイッチと、リモコン操作ロック状態をオン／オフするためのロックスイッチと、ロック状態を判定するロック状態判定部と、操作スイッチ入力とロック状態判定結果により機器へコード送信を行う発信部と、前記発信部を制御する発信ドライバと、リモコン設定表示を行う表示部と、前記表示部を制御する制御ドライバと、前記２つのドライバの駆動処理を行う処理部を備え、ロックオン状態で操作スイッチを操作した場合、表示ドライバは動作不可能とし表示部の変更を禁止し、発信ドライバを作動させて機器に対して送信部からロック時特定のコードを送信することにより、このコードを受信した機器は特定の受信音を鳴らし他の動作は禁止することにより、リモコン操作ロックされていることを認識することができるとともにリモコンの不意の誤操作や幼児の遊び触りよる機器の不要動作を防止することができる。
【００１０】
以下、本発明の実施の形態について、図面を参照しながら説明する。なお、この実施の形態によって本発明が限定されるものではない。
【００１１】
（実施の形態１）
図１は、本発明の第１の実施の形態におけるリモコンの構成を示すブロック図である。複数の操作スイッチ（１）と、リモコン操作ロック状態をオン／オフするためのロックスイッチ（２）と、ロック状態を判定するロック状態判定部（３）と、操作スイッチ入力とロック状態判定結果により機器へコード送信を行う発信部（７）と、前記発信部を制御する発信ドライバ（５）と、リモコン設定表示を行う表示部（８）と、前記表示部を制御する表示ドライバ（６）と、前記２つのドライバの駆動処理を行う処理部（４）を備えている。
【００１２】
図２は本発明の第１の実施の形態におけるリモコン操作ロック状態判定処理を示すフローチャートである。リモコンのロックスイッチがオンかオフかを判断（ステップ１）し、ロックスイッチがオンであれば現在のロック状態がオンかオフか判断（ステップ２）し、現在のロック状態がオンであればロック状態をオフ（ステップ３）にし、現在のロック状態がオフであればロック状態をオン（ステップ４）にする。
【００１３】
図３は本発明の第１の実施の形態におけるリモコン操作された時の処理を示すフローチャートである。リモコン操作されたかどうか判断（ステップ１１）し、リモコン操作があれば現在のロック状態を判断（ステップ１２）し、ロックオン状態であればリモコン設定状態を表示する表示部の変更を禁止（ステップ１３）して発信部より特定コードの送信を行う（ステップ１４）。ロック状態オフであればリモコン操作された内容に従い表示部の変更を行い（ステップ１５）、発信部よりリモコン操作された内容に従いコードの送信を行う（ステップ１６）。
【００１４】
図４は本発明の第１の実施の形態におけるリモコンからコードを受信した時の機器の動作を示すフローチャートである。リモコンからコードを受信したかどうかを判断（ステップ１０１）し、コードを受信すればロック時特定コードかどうか判断（ステップ１０２）し、ロック時特定コードでなければ通常の受信音を鳴らし（ステップ１０５）受信したコードに従って機器を動作（ステップ１０６）させる。ロック時特定コードであればロック時特特定の受信音を鳴らし（ステップ１０３）、機器の動作は禁止する（ステップ１０４）。これによりリモコン操作ロックされていることを認識することができるとともにリモコンの不意の誤操作や幼児の遊び触りによる機器の不要動作を防止することができる。
【図面の簡単な説明】
【００１５】
【図１】本発明の実施の形態１におけるリモコンのブロック図
【図２】本発明の実施の形態１におけるロック状態判定処理を示すフローチャート
【図３】本発明の実施の形態１におけるリモコン送信処理を示すフローチャート
【図４】本発明の実施の形態１におけるリモコンからコードを受信した時の機器の動作を示すフローチャート
【図５】従来のリモコン処理を示すフローチャート
【符号の説明】
【００１６】
１  操作スイッチ
２  ロックスイッチ
３  ロック状態判定部
４  処理部
５  発信ドライバ
６  表示ドライバ
７  発信部
８  表示部
【図１】
2007074185.tif 000003
【図２】
2007074185.tif 000004
【図３】
2007074185.tif 000005
【図４】
2007074185.tif 000006
【図５】
2007074185.tif 000007